(57)【要約】【課題】栽培が難しいと言われる野菜や園芸植物の栽培を、家庭の庭、ベランダ（ぬれ縁）、軒下、テラス、室内など非常に狭い場所で、種苗の前処理、農地（またはプランター）の準備、施肥（または追肥）処理および薬剤散布処理などに、高度の熟練と経験知識を必要とすることなく（初心者でも）、非常に簡単に栽培を行うことが可能なポット菜園セットを得る。【解決手段】平坦な底壁１と、該底壁の周縁部から立上がる周側壁２と、該周側壁の上縁開口部を閉鎖する天上壁３とを有する包装容器Ａの、該容器内に培養土９が充填された包装容器Ａと、種苗１０を入れた容器とを組合わせてなるポット菜園セットの、それぞれの容器Ａ、Ｂを開封し、該包装容器Ａの培養土９の天面から所定の深さ位置に該種苗１０を埋設し、水やり、射光、遮光又は保温して植物を栽培する。【選択図】図１
2004298072.tif 000002
【特許請求の範囲】
【請求項１】
平坦な底壁１と、該底壁の周縁部から立上がる周側壁２と、該周側壁の上縁開口部を閉鎖する天上壁３とを有する包装容器Ａの、該容器Ａ内に培養土９が充填された包装容器Ａと、種苗１０を入れた容器Ｂとを組合わせたことを特徴とするポット菜園セット。
【請求項２】
平坦な底壁１と、該底壁１の周縁部から立上がる周側壁２と、該周側壁の上縁開口部を閉鎖する天上壁３とを有し、該底壁１と周側壁２の交差する内側隅部７が直角または鋭角を有している包装用箱容器Ａの、該容器Ａ内に培養土９が充填された包装容器Ａと、種苗１０を入れた容器Ｂとを組合わせたことを特徴とするポット菜園セット。
【請求項３】
略楕円形を有する剛性枠８と、該枠８の周縁部から立上がる略筒状の周側壁２と、該周側壁の上縁開口部を閉鎖する天上壁３とを有し、該剛性枠８と周側壁２の交差する内側隅部７が鋭角を有する包装容器Ａの、該容器Ａ内に培養土９が充填された包装容器Ａと、種苗１０を入れた容器Ｂとを組合わせたことを特徴とするポット菜園セット。
【請求項４】
略楕円形を有する剛性枠８と、該枠の周縁部から立上がる略筒状の周側壁２と、該周側壁２の上縁開口部を閉鎖する天上壁３とを有し、該剛性枠８と周側壁２の交差する内側隅部７が鋭角を有し、被収納物充填時に底部が拡張して自己起立可能となるスタンデイングパウチの、該パウチ内に培養土９が充填された包装容器Ａと、種苗１０を入れた容器Ｂとを組合わせたことを特徴とするポット菜園セット。
【請求項５】
平坦な底壁１と、該底壁の周縁部から立上がる周側壁２と、該周側壁の上縁開口部を閉鎖する天上壁３とを有する包装容器Ａの、該容器Ａ内に培養土９が充填された、遮光性を有する包装容器Ａと、種苗１０を入れた容器Ｂとを組合わせたことを特徴とするポット菜園セット。
【請求項６】
遮光性を有する容器Ａが、黒色、青色、茶色あるいは緑色をした外周壁、またはアルミ箔を用いた外周壁を有する容器である請求項５に記載のポット菜園セット。
【請求項７】
種苗が、栄養繁殖植物体またはその一部である請求項１〜請求項４のいずれかに記載のポット菜園セット。
【請求項８】
栄養繁殖植物体が、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根植物である請求項７記載のポット菜園セット。
【請求項９】
平坦な底壁１と、該底壁１の周縁部から立上がる周側壁２と、該周側壁２の上縁開口部を閉鎖する天上壁３とを有する包装容器Ａの、該容器Ａ内に培養土９が充填された包装容器Ａと、種苗１０を入れた容器Ｂとを組合わせてなるポット菜園セットの、それぞれの容器Ａ、Ｂを開封し、該包装容器Ａの培養土の天面から所定の深さ位置に該種苗を埋設し、水やり、射光、遮光又は保温して植物を栽培することを特徴とするポット菜園セットによる植物の栽培法。
【発明の詳細な説明】
【０００１】
【発明の属する技術分野】
本発明は、家庭の庭、ベランダ（ぬれ縁）、軒下、テラス、室内など非常に狭い場所で、栽培が難しいと言われる野菜や園芸植物を、熟練や経験を必要とせずに（初心者でも）、非常に簡単に栽培を行うことが可能なポット菜園セットに関する。
【０００２】
【従来の技術】
従来、栽培が難しいと言われる野菜〔例えば（イ）里芋、ショウガおよびミョウガなどの地下塊茎植物、（ロ）アスパラガス、ウドおよびミツバなどの塊根植物、（ハ）フキなどの地下茎植物、（ニ）ヤマイモおよびコンニャクなどの塊根植物、または（ホ）ニンニクなどの球根植物〕は、それぞれ、栽培に当たりその根株、地下茎、種いも、またはそれらの切片へと適当な大きさに株分け、または切断して、また球根は鱗片にバラして、栽培に適する形態にし、それらを、予め耕作、潅水、または肥料の施肥、追肥等をして栽培に適するように準備した農地またはプランター等に植え付け、次いで、当該野菜群の栽培期間中は、高度な熟練と経験に基づき定期的に灌水、追肥等を施し、害虫駆除、病気防除のため薬剤散布などして、栽培・育成した後、該野菜群の収穫物を得ている。
しかしながら、この栽培法は当該栄養繁殖植物体に対する所定の前処理、該繁殖植物体に適した農地やプランターの準備、種苗を定植後の施肥や追肥などに、労力および時間を要し、しかも高度の熟練と経験知識が必要であり、一般的な家庭では大変困難なことであった。
【０００３】
【発明が解決しようとする課題】
本発明は、栽培が難しいと言われる野菜や園芸植物の栽培を、家庭の庭、ベランダ（ぬれ縁）、軒下、テラス、室内など非常に狭い場所で、種苗の前処理、農地（またはプランター）の準備、施肥（または追肥）処理などに、高度の熟練と経験知識を必要とすることなく（初心者でも）、非常に簡単に栽培を行うことが可能なポット菜園セットを提供することを目的とする。
【０００４】
【課題を解決するための手段】
本発明は、これらの課題を解決するために完成されたものであって、すなわち平坦な底壁１と、該底壁の周縁部から立上がる周側壁２と、該周側壁の上縁開口部を閉鎖する天上壁３とを有する包装容器Ａの、該容器Ａ内に培養土９が充填された包装容器Ａと、種苗１０を入れた容器Ｂとを組合わせたことを特徴とするポット菜園セットを提供する。
【０００５】
また本発明は平坦な底壁１と、該底壁１の周縁部から立上がる周側壁２と、該周側壁の上縁開口部を閉鎖する天上壁３とを有し、該底壁１と周側壁２の交差する内側隅部７が直角または鋭角を有している包装用箱容器Ａの、該容器Ａ内に培養土９が充填された包装容器Ａと、種苗１０を入れた容器Ｂとを組合わせたことを特徴とするポット菜園セットを提供する。
【０００６】
また本発明は、略楕円形を有する剛性枠８と、該枠８の周縁部から立上がる略筒状の周側壁２と、該周側壁の上縁開口部を閉鎖する天上壁３とを有し、該剛性枠８と周側壁２の交差する内側隅部７が鋭角を有する包装容器Ａの、該容器Ａ内に培養土９が充填された包装容器Ａと、種苗１０を入れた容器Ｂとを組合わせたことを特徴とするポット菜園セットを提供する。
【０００７】
また本発明は、略楕円形を有する剛性枠８と、該枠の周縁部から立上がる略筒状の周側壁２と、該周側壁２の上縁開口部を閉鎖する天上壁３とを有し、該剛性枠８と周側壁２の交差する内側隅部７が鋭角を有し、被収納物充填時に底部が拡張して自己起立可能となるスタンデイングパウチの、該パウチ内に培養土９が充填された包装容器Ａと、種苗１０を入れた容器Ｂとを組合わせたことを特徴とするポット菜園セットを提供する。
【０００８】
また本発明は平坦な底壁１と、該底壁の周縁部から立上がる周側壁２と、該周側壁の上縁開口部を閉鎖する天上壁３とを有する包装容器Ａの、該容器Ａ内に培養土９が充填された包装容器Ａと、種苗１０を入れた、遮光性を有する容器Ｂとを組合わせたことを特徴とするポット菜園セットを提供する。
【０００９】
また本発明は遮光性を有する容器が、黒色、青色、茶色あるいは緑色をした外周壁、またはアルミ箔を用いた外周壁を有する容器である請求項５に記載のポット菜園セットを提供する。
【００１０】
また本発明は種苗が、栄養繁殖植物体またはその一部である請求項１〜請求項４のいずれかに記載のポット菜園セットを提供する。
【００１１】
また本発明は栄養繁殖植物体が、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根植物である請求項７記載のポット菜園セットを提供する。
【００１２】
また本発明は、平坦な底壁１と、該底壁１の周縁部から立上がる周側壁２と、該周側壁２の上縁開口部を閉鎖する天上壁３とを有する包装容器Ａの、該容器Ａ内に培養土９が充填された包装容器Ａと、種苗１０を入れた容器Ｂとを組合わせてなるポット菜園セットの、それぞれの容器Ａ、Ｂを開封し、該包装容器Ａの培養土の天面から所定の深さ位置に該種苗を埋設し、水やり、射光、遮光又は保温して植物を栽培することを特徴とするポット菜園セットによる植物の栽培法を提供する。
【００１３】
【発明の実施の形態】
以下本発明を添付した図面に添って詳細に説明する。
図１は、本発明のポット菜園セットの一具体例を示す概略説明図を示す。
図２は、本発明の別のポット菜園セットの一具体例を示す縦断面概略説明図を示す。
図３は、本発明のさらに別のポット菜園セットの一具体例を示す概略説明図で、（ａ）はその斜視図、（ｂ）はその縦断面図、（ｃ）はその横断面図をそれぞれ示す。
【００１４】
本発明のポット菜園セットは、図１に示す如き、平坦な底壁１と、該底壁の周縁部から立上がる周側壁２と、該周側壁の上縁開口部を閉鎖する天上壁３とを有する包装容器Ａと、種苗１０を収容し、開口部を閉鎖した包装容器Ｂとを組合わせたものが挙げられる。
【００１５】
また本発明のポット菜園セットの別の具体例としては、図２に示す如き、フィルム状袋容器４に培養土９を充填し、これを平坦な底壁１と、該底壁の周縁部から立上がる周側壁２と、該周側壁の上縁開口部を閉鎖する天上壁３とを有し、該底壁と周側壁の交差する内側隅部７が直角または鋭角を有している包装用箱容器Ａに収納し、フィルム状袋容器の外周壁の形状を包装用箱内部の形状に合致させたものと、種苗１０を入れた容器Ｂとを組合わせたものが挙げられる。
【００１６】
また本発明のポット菜園セットのさらに別の具体例としては、図３に示す如き、楕円形を有する剛性枠８と、該枠の周縁部から立上がる略筒状の周側壁２と、該周側壁の上縁開口部を閉鎖する天上壁３とを有し、該剛性枠８と周側壁２の交差する内側隅部７が鋭角を有する包装容器Ａと、種苗１０を入れた容器Ｂとを組合わせたものが挙げられる。
【００１７】
また本発明のポット菜園セットのまたさらに別の具体例としては、図３に示す如き、略楕円形を有する剛性枠８と、該枠の周縁部から立上がる略筒状の周側壁２と、該周側壁の上縁開口部を閉鎖する天上壁３とを有し、該剛性枠と周側壁の交差する内側隅部７が鋭角を有し、被収納物充填時に底部が拡張して自己起立可能となるスタンデイングパウチＡと、種苗１０を入れた容器Ｂとを組合わせたものが挙げられる。
【００１８】
スタンデイングパウチを用いた包装容器Ａは、転倒防止効果が優れており、培養土をプランターなどに移し替えることなくそのまま栽培に用いることができるため、非常に便利である特徴を有する。
【００１９】
これらの包装容器Ａの素材は、防水加工した紙製袋、木製、石製（天然石、石膏ボード、セメントなど）、金属製、ポリエチレン、ポリスチレン、ポリプロピレンまたはプラスチック等の合成樹脂製、ガラス製など任意の素材が採用できる。
【００２０】
次に、包装容器Ｂの素材および形状も、特に制限はなく、例えば、防水加工した紙製、ポリエチレン、ポリスチレン、ポリプロピレンまたはプラスチック等の合成樹脂製、の可撓性（あるいはフィルム状）袋状容器、箱容器などが挙げられる。また、その素材も無色透明〜着色不透明のものが採用できる。
【００２１】
しかしながら、遮光性を有する包装容器Ａは、種苗の品種によって、優れた効果を奏する場合があるので好ましい。すなわち、アスパラガス、ウド、ネギ、ミツバなどにおいては、収穫野菜の可食部の肌（外表面）が淡色または白色になって、外観が美しくなり、しかも食感が軟らかくなるので、非常に好ましい。
また、遮光性包装容器を用いるときは、外から容器内培養土が見えにくく、あるいは見えないので、包装容器全体の外観が美しくなるので好ましい。
【００２２】
この場合、遮光性を有する容器としては、黒色、青色、茶色あるいは緑色をした外周壁、またはアルミ箔の外周壁を有する容器が挙げられる。
【００２３】
次に、本発明において用いられる種苗としては、野菜、果樹、草花（花卉）などの種苗が挙げられるが、その中で、栄養繁殖植物体またはその一部、すなわちその株分け、切断処理物の利用が本発明の効果をよりよく奏するので好ましい。
【００２４】
なお、上記栄養繁殖植物体としては、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根が好ましい。
【００２５】
本発明において、上記栄養繁殖植物体は、そのまま、または乾燥させた後に使用することができるが、乾燥させた後に用いると、種苗の保存安定性が良くなるので好ましい。また、種苗を殺菌剤で処理してから用いると、保存中および栽培中において病原菌の浸入予防と、浸入した病原菌の殺菌をすることができるので好ましい。
【００２６】
本発明において用いられる培養土としては、栽培する野菜、果樹、または草花などに適した窒素、燐酸、カリウムまたはカルシウム等の要素の少なくとも１つ、または化成肥料や有機質肥料等の即効性肥料、緩効性肥料、遅効性肥料、または即効性肥料と緩効性肥料との混合肥料の少なくとも１つ、を含有させたパーライト、ピートモス、ココピート、または通常の培養土等の吸湿性のある園芸用土資材が挙げられる。または上記培養土に必要により化成肥料および／または有機質肥料を施肥した培養土、または園芸用土資材に窒素、燐酸、カリウム、カルシウム、マグネシウム、化成肥料または有機質肥料の少なくとも１つを添加含有せしめた培養土などが挙げられる。
【００２７】
次に、培養土が充填された包装容器Ａと、種苗を入れた容器Ｂとを組合わせは、培養土が充填された包装容器に、種苗を入れた容器を組合わせる任意の手段が採用でき、例えば、培養土が充填された包装容器Ａと、種苗を入れた容器Ｂとを別々に用意し、それぞれ識別マークなどをつけて組合わせ使用する方法、および培養土が充填された包装容器Ａに、種苗を入れた容器Ｂを一体的に結合して使用する方法などが挙げられる。後者の具体的手段としては、添着（主となるものに従のものを添えるようにして着ける）、定着（定まった位置に動かないように着ける）、当着（当てた状態に着ける）、粘着（粘着剤で貼り着ける）、付着（沿わせて着ける）、挿着（さしこんで着ける）などが挙げられる。
【００２８】
また培養土が充填された上記包装容器Ａは、必要により、底部に簀の子を保持させて、容器底部に水が停滞することを防止することもできる。
簀の子としては、多孔板、メッシュ板（網板）、一定の間隔で細板を並べ止めたものなどを意味する。
【００２９】
また培養土が充填された上記包装容器Ａは、周側壁２の上端付近の開口部に切取案内用ミシン目を穿設したり、周側壁２の上端付近の開口部に切取り案内用の切溝を設けたりして、開口を容易にすることもできる。
【００３０】
実施例１
（里芋のポット菜園セット）
平坦な方形状の底壁１（縦１６ｃｍ×横１６ｃｍ）と、該底壁の周縁部から立上がる周側壁２（高さ１７ｃｍ）と、該周側壁の上縁開口部を閉鎖する天上壁３（１６ｃｍ×１６ｃｍ）とを有する厚さ０．２ｍｍの、白色のポリエチレン製の袋状包装容器Ａに培養土９〔ホーネンアグリ社製「ポットミックス」に協同肥料社製・即効性肥料「園芸化成Ｓ２００」およびハイポネクスジャパン社製・緩効性肥料「マグァンプＫ」をそれぞれ３ｇ／Ｌと４ｇ／Ｌの割合で添加し、均一に混合してなる培養土〕を満杯に充填した後、空気を抜きながら、該袋状包装容器の開口部をヒートシールして密封し、培養土が充填された包装容器Ａを得た。
一方、縦１２ｃｍ×横２３ｃｍの大きさで、厚さ０．０４ｍｍの全面黒色のビニール袋に、市販されている約３６ｇの里芋（石川早生）の種イモ１個を入れ、袋を巾着上にテープ結束して、種苗を入れた容器Ｂを得た。
次いで、培養土が充填された包装容器Ａに、種苗を入れた容器Ｂを添着して本発明のポット菜園セットを得た。
【００３１】
実施例２
（里芋作物のポット菜園セットによる里芋の栽培法）
上記実施例１で得た里芋作物のポット菜園セットにおいて、培養土が充填された袋状包装容器Ａと、種苗を入れた容器Ｂをそれぞれ陽当りのよいベランダにて開封し、該袋状包装容器Ａの培養土の天面から里芋を深さ約７ｃｍの位置に埋設し、これに水やりをした。その後この水やりは、栽培期間中、当該培養土が乾燥しないように定期的に行なった。そして、栽培開始３週間後には、当該里芋の萌芽が始まり、順調に生育を続けた。その結果、晩秋には、里芋の子イモと孫イモが合計９個、４５０ｇと芋茎が２５０ｇ収穫できた。
【００３２】
実施例３
縦１５ｃｍ×横３７ｃｍの楕円形を有する剛性枠８と、該枠の周縁部から立上がる高さ５７ｃｍの略筒状の周側壁２と、該周側壁の上縁開口部を閉鎖する天上壁３とを有する包装容器であって、該剛性枠８と周側壁２の交差する内側隅部７が９５°の鋭角（図３のｃ参照）を有し、被収納物充填時に底部が拡張して自己起立可能となるスタンデイングパウチの該開口部よりホーネンアグリ社製の培養土「ポットミックス」を半分入れた。
一方、縦２６ｃｍ×横３８ｃｍの大きさで、厚さ０．０４ｍｍの全面黒色のビニール袋に、アスパラガスの根株３株、約１ｋｇを入れ、脱気後ヒートシールして、種苗を入れた容器を得た。
次いで、培養土が充填された包装容器Ａに、種苗を入れた容器Ｂを添着して本発明のポット菜園セットを得た。そして、種苗について栽培直前まで５℃の冷暗所で保管した。
【００３３】
実施例４
（アスパラガス作物のポット菜園セットによるアスパラガスの栽培法）
上記実施例３で得たアスパラガス作物のポット菜園セットにおいて、培養土が充填された袋状包装容器と、アスパラガス種苗を入れた容器を１月２７日にそれぞれ陽当りのよいベランダにて開封し、該前者袋状包装容器の培養土の底面から２ｃｍ隔てた上側位置にアスパラガスを埋設し、これに約１．５Ｌの水やりをした。その後は、萌芽までの期間、当該袋の開封口を洗濯バサミで閉じ、昼間は日照下のベランダに置いて、該作物の保温性と保湿性を高め、また、夜間は室内に取り込んで栽培した。そして、水やりから２週間後、アスパラガスの萌芽が始まると同時に洗濯バサミを外して、該野菜栽培セットの袋を開けた状態に保って、その栽培を継続した。その結果、５℃の冷暗所に約２ヶ月間保管後の、当該野菜栽培セットでは、３週間目より、伸長したアスパラガスが収穫できるようになり、全体として、２９本、２３０ｇの収穫物が得られた。
【００３４】
【発明の効果】
本発明は、栽培が難しいと言われる野菜や園芸植物の栽培を、家庭の庭、ベランダ（ぬれ縁）、軒下、テラス、室内など非常に狭い場所で、種苗の前処理、農地（またはプランター）の準備、施肥（または追肥）処理および薬剤散布処理などに、高度の熟練と経験知識を必要とすることなく（初心者でも）、非常に簡単に栽培を行うことが可能なポット菜園セットを得ることができる。
また本発明によれば、上記野菜を、非常に簡単に栽培して、高品質の野菜を収量多く収穫することができる。
【図面の簡単な説明】
【図１】本発明の一具体例を示すポット菜園セットの概略説明図を示す。
【図２】本発明の別の一具体例を示すポット菜園セットの縦断面概略説明図を示す。
【図３】本発明のさらに別の一具体例を示すポット菜園セットの概略説明図で、（ａ）はその斜視図、（ｂ）はその縦断面図、（ｃ）はその横断面図をそれぞれ示す。
【符号の説明】
１：底壁
２：周側壁
３：天上壁
４：フィルム状袋容器
５：箱型容器
６：外蓋
７：隅部
８：剛性枠
９：培養土
１０：種苗
【図１】
2004298072.tif 000003
【図２】
2004298072.tif 000004
【図３】
2004298072.tif 000005